(57)【要約】【課題】可能な限り既存の吊ボルトを流用することにより、工期や施工コスト、既存の吊りボルト等の廃棄物を軽減することができる換気装置を提供する。【解決手段】熱交換器、室外空気を吸引し熱交換器を介して室内に送風する給気送風機、および室内空気を吸引し熱交換器を介して室外に排出する排気送風機を内部に有する箱形状の本体１０と、本体１０の空気流の方向の前後にそれぞれ設けられた２組の支持金具２０とを有し、２組の支持金具２０は、本体１０の空気流の方向の両側面にそれぞれ対向して設けられた第１支持部材３０と、対向する第１支持部材３０の間にそれぞれ設けられ、空気流の方向に可動自在の第２支持部材４０と、第２支持部材４０に空気流の方向と直交する方向に可動自在に設けられ、吊りボルトに固定される第３支持部材５０とを備えている。【選択図】図１
2016017691.tif 000002
【特許請求の範囲】
【請求項１】
熱交換器、室外空気を吸引し前記熱交換器を介して室内に送風する給気送風機、および室内空気を吸引し前記熱交換器を介して室外に排出する排気送風機を内部に有する箱形状の本体と、
前記本体の空気流の方向の前後にそれぞれ設けられた２組の支持金具と
を有し、
前記２組の支持金具は、
前記本体の空気流の方向の両側面にそれぞれ対向して設けられた第１支持部材と、
対向する前記第１支持部材の間にそれぞれ設けられ、空気流の方向に可動自在の第２支持部材と、
前記第２支持部材に空気流の方向と直交する方向に可動自在に設けられ、吊りボルトに固定される第３支持部材と
を備えたことを特徴とする換気装置。
【請求項２】
前記第１支持部材は、空気流の方向に長い長穴を有し、前記本体の両側面の上側の各角部に当該本体の上面よりも上方に位置した状態でそれぞれ対向して固定され、
前記第２支持部材は、空気流の方向と直交する方向に長い長穴を有し、対向する前記第１支持部材に当該第１支持部材の長穴に可動自在に固定され、
前記第３支持部材は、前記吊りボルトが挿入される長穴を有し、前記第２支持部材に当該第２支持部材の長穴に可動自在に固定された
ことを特徴とする請求項１記載の換気装置。
【請求項３】
前記第１支持部材は、空気流の方向に長い長穴を有し、前記本体の両側面の下側の各角部に当該本体の下面よりも下方に位置した状態でそれぞれ対向して固定され、
前記第２支持部材は、空気流の方向と直交する方向に、対向する前記第１支持部材の間隔よりも長い長穴を有し、上端部が、対向する前記第１支持部材に当該第１支持部材の長穴に可動自在に固定され、
前記第３支持部材は、前記吊りボルトが挿入される長穴を有し、前記第２支持部材に当該第２支持部材の長穴に可動自在に固定された
ことを特徴とする請求項１記載の換気装置。
【請求項４】
熱交換器、室外空気を吸引し前記熱交換器を介して室内に送風する給気送風機、および室内空気を吸引し前記熱交換器を介して室外に排出する排気送風機を内部に有する箱形状の本体と、
前記本体の空気流の方向の前後にそれぞれ設けられた２組の支持金具と
を有し、
前記２組の支持金具は、
空気流の方向に長い長穴を有し、前記本体の両側面の下側の各角部に当該本体の下面よりも下方に位置した状態でそれぞれ対向して固定された第１支持部材と、
空気流の方向と直交する方向に、対向する前記第１支持部材の間隔よりも長い、上下方向に向けられた長穴を有し、一端部が、対向する前記第１支持部材に当該第１支持部材の長穴に可動自在に固定され、当該長穴に前記吊りボルトが挿入される第２支持部材と
を備えたことを特徴とする換気装置。
【発明の詳細な説明】
【技術分野】
【０００１】
本発明は、主に換気分野に利用され、室内空気と室外空気とを熱交換器で熱交換しながら室内を換気する換気装置に関するものである。
【背景技術】
【０００２】
熱交換器を備えた換気装置の発売開始から４０年以上が経過しており、市場では建築物のリニューアルに伴う空気調和設備の入れ替えに併せて換気装置も入れ替える事例が多くなっている。
【０００３】
現在の換気装置は、熱交換効率の向上以外にも送風性能も向上しており、より確実な換気が可能になっている。それに伴い換気装置のサイズも過去の換気装置とは異なっており、天井から吊り下げるための吊ボルトのピッチも必ずしも同一ではなくなっている。また風量帯が異なる場合などもあり、リニューアル時には吊ボルトも併せて入れ替える必要がある。
【０００４】
従来、既存の吊りボルトを用いる換気装置として、換気装置の本体を横長状態で設置するときには、本体の横寸法対向面に直接吊り金具を取り付け、本体を縦長状態で設置するときには、本体の縦寸法対向面に補助金具を介して吊り金具を取り付けたものがある（例えば、特許文献１参照）。
【先行技術文献】
【特許文献】
【０００５】
【特許文献１】特開平１０−２４６４８８号公報（要約）
【発明の概要】
【発明が解決しようとする課題】
【０００６】
前述した従来の換気装置においては、吊り金具は本体の四隅に設置されており、４本の吊ボルトで本体を吊り下げる仕様となっている。近年では、換気装置も空調機などの更新に伴う既存物件に対するリニューアルも実施されており、既存の換気装置が設置してあった場所にサイズの異なる新しい換気装置を設置する場合が多くみられるようになっている。サイズの異なる換気装置を設置する場合、通常は流用可能な既存の吊ボルトは１本のみであり、残りの３本は邪魔にならないように切断するか引き抜くかの何れかの作業を要している。１本の吊りボルトを使用する場合には、新たに３本の吊ボルトの設置も必要になる。こういった天吊ピッチが合わない事による吊ボルトの手直しが工期や施工コストがかかる一つの要因になっている。
【０００７】
本発明は、上記のような課題を解決するためになされたもので、可能な限り既存の吊ボルトを流用することにより、工期や施工コスト、既存の吊りボルト等の廃棄物を軽減することができる換気装置を得ることを目的する。
【課題を解決するための手段】
【０００８】
本発明に係る換気装置は、熱交換器、室外空気を吸引し熱交換器を介して室内に送風する給気送風機、および室内空気を吸引し熱交換器を介して室外に排出する排気送風機を内部に有する箱形状の本体と、本体の空気流の方向の前後にそれぞれ設けられた２組の支持金具とを有し、２組の支持金具は、本体の空気流の方向の両側面にそれぞれ対向して設けられた第１支持部材と、対向する第１支持部材の間にそれぞれ設けられ、空気流の方向に可動自在の第２支持部材と、第２支持部材に空気流の方向と直交する方向に可動自在に設けられ、上階の床スラブから吊り下げられた吊りボルトに固定される第３支持部材とを備えたものである。
【発明の効果】
【０００９】
この発明によれば、本体に設けられた２組の支持金具は、空気流の方向に可動自在の第２支持部材と、第２支持部材に空気流の方向と直交する方向に可動自在に設けられ、上階の床スラブから吊り下げられた吊りボルトに固定される第３支持部材とを備えている。この構成により、吊りボルトを換気装置のサイズに合わせて設置しなくても換気装置を吊り下げることができる。これにより、特にリニューアルによる換気装置の入れ替えの際には、既存の吊ボルトを流用でき、吊りボルトの取り替えが必要な換気装置と比べ、工期や施工コストの圧縮を図ることができ、既存の吊りボルト等の廃棄物を軽減できる。
【図面の簡単な説明】
【００１０】
【図１】本発明の実施の形態に係る換気装置の斜視図。
【図２】図１の換気装置に設けられた支持金具の変形例を示す斜視図。
【図３】図２の換気装置に設けられた支持金具の変形例を示す斜視図。
【発明を実施するための形態】
【００１１】
以下に、本発明に係る換気装置の実施の形態を図面に基づいて詳細に説明する。なお、この実施の形態により本発明が限定されるものではない。
【００１２】
図１は本発明の実施の形態に係る換気装置の斜視図である。
図１に示す換気装置１は、熱交換器、給気送風機および排気送風機を内部に有する箱形状の本体１０と、コントロールボックス１７と、本体１０の上面１８の空気流の方向の前後にそれぞれ設けられた２組の支持金具２０とを備えている。本体１０は、例えば、外形が空気流の方向（奥行き方向）に長い直方体形状に形成されている。
【００１３】
本体１０の奥行き方向の一方の面１１には、室外給気口１２および室外排気口１３が設けられている。他方の面１４には、室外給気口１２に対して対角線上の位置に室内給気口が設けられ、また、室外排気口１３に対して対角線上の位置に室内排気口が設けられている。室外給気口１２と室内給気口は、本体１０内に形成された給気風路を介して連通しており、室外排気口１３と室内排気口は、本体１０内に形成された排気風路を介して連通している。
【００１４】
熱交換器は、給気風路と排気風路の交差部分に設置されている。給気送風機は、室内給気口側の給気風路内に設置され、排気送風機は、室外排気口側の排気風路内に設置されている。コントロールボックス１７は、本体１０の奥行き方向に長い長方形形状の一方の側面１５に取り付けられている。このコントロールボックス１７には、給気送風機および排気送風機の運転（回転数）を制御する制御基板と電源基板とが収納されている。
【００１５】
給気送風機は、室外空気を室外給気口１２から吸引して給気風路内に取り込み、熱交換器を通して室内給気口から室外空気を室内に供給する。また、排気送風機は、室内空気を室内排気口から吸引して排気風路内に取り込み、熱交換器を通して室外排気口１３から室内空気を室外に排出する。前述の換気装置１で換気運転を行う場合は、給気送風機と排気送風機を運転し、熱交換器によって室内空気と室外空気とが熱交換される。この熱交換により、冬期には室内の熱の流出が抑えられ、夏期には室外からの熱の流入が抑えられる。
【００１６】
また、２組の支持金具２０は共に同じ構成で、何れか一方を１８０°反転したものである。この支持金具２０は、後述するが、本体１０の両側面１５、１６にそれぞれ対向して設けられた第１支持部材３０と、対向する第１支持部材３０の間にそれぞれ設けられ、本体１０の奥行き方向に可動自在の第２支持部材４０と、第２支持部材４０に奥行き方向と直交する方向（幅方向）に可動自在に設けられた第３支持部材５０とを備えている。前述の支持金具２０は、上階の床スラブから吊り下げられた既存の４本の吊りボルトのピッチが本体１０の上面１８のサイズよりも内側に位置している場合に使用される。
【００１７】
第１支持部材３０は、本体１０の前記角部にボルト３３とナットによって固定される固定部３１を有している。第１支持部材３０は、本体１０の奥行き方向に長い長方形形状に形成され、固定部３１によって、本体１０の上面１８よりも上方に位置した状態でそれぞれ対向して固定される。この第１支持部材３０には、長手方向に長く延びて形成された長穴３２が設けられている。
【００１８】
第２支持部材４０は、本体１０の幅方向に長い長方形形状に形成され、両端部から直角に同一方向に延びる取付部４１を有している。第２支持部材４０には、長手方向に長く延びて形成された長穴４２が設けられている。この第２支持部材４０は、両端部に設けられた取付部４１からボルト４３を通して第１支持部材３０の長穴３２に挿入してナット４４で締め付けることにより、第１支持部材３０に固定される。また、第２支持部材４０は、取付部４１と第１支持部材３０の長穴３２を貫通したボルト４３を緩めることで、第１支持部材３０の長穴３２に沿って可動自在となる。
【００１９】
第３支持部材５０は、断面がＬ字形状に形成され、一方の面には、幅方向に長い長穴５１が設けられている。この第３支持部材５０は、他方の面からボルトを第２支持部材４０の長穴４２に挿入してナットで締め付けることにより、第２支持部材４０に固定される。また、第３支持部材５０は、ボルトを緩めることで、第２支持部材４０の長穴４２に沿って可動自在となる。第３支持部材５０の長穴５１には、既存の４本の吊りボルトが挿入されて固定される。
【００２０】
次に、本体１０に設けられた２組の支持金具２０の第３支持部材５０に既存の吊りボルト（４本）を取り付ける手順を説明する。なお、換気装置１の本体１０の奥行き方向の前後には、２組の支持金具２０が取り付けられているものとして説明する。また、以下に示す取付手順は、一例であって限定されるものではない。
【００２１】
例えば、上階の床スラブから吊り下げられた４本の吊りボルトのうち、１本の吊りボルトのみが１つの第３支持部材５０の長穴５１に挿入可能な場合、その第３支持部材５０の長穴５１に１本の吊りボルトを挿入して、吊りボルトのナットで仮止めする。次いで、仮止した第３支持部材５０に隣接する第３支持部材５０のボルトを緩めて、吊りボルトの真下に長穴５１が位置するように、第３支持部材５０を第２支持部材４０の長穴４２に沿って可動する。そして、その第３支持部材５０の長穴５１に吊りボルトを挿入して、吊りボルトのナットで仮止めし、さらに、第３支持部材５０を第２支持部材４０にボルトとナットとで固定する。
【００２２】
その後、もう一方の第２支持部材４０のボルト４３を緩めて、第２支持部材４０を本体１０の奥行き方向に可動自在にし、その第２支持部材４０に固定された２つの第３支持部材５０のボルトを緩めて、本体１０の幅方向に可動自在にする。そして、各吊りボルトの真下に２つの第３支持部材５０の長穴５１が位置するように、第２支持部材４０を第１支持部材３０に沿って可動すると共に、２つの第３支持部材５０を第２支持部材４０に沿って可動する。
【００２３】
次いで、２つの第３支持部材５０の長穴５１にそれぞれ吊りボルトを挿入して、吊りボルトのナットで仮止めし、さらに、２つの第３支持部材５０を第２支持部材４０にボルトとナットとで固定する。その後、第２支持部材４０の取付部４１を第１支持部材３０にボルト４３で締めて固定する。そして、各吊りボルトに設けられた複数のナットで、本体１０の高さを微調整しながら、４つの第３支持部材５０を上下から締め付けて固定する。
【００２４】
次に、本体１０の上面１８のサイズよりも既存の４本の吊りボルトのピッチが広い場合の支持金具について、図２を用いて説明する。
図２は図１の換気装置に設けられた支持金具の変形例を示す斜視図である。なお、図１と同様の部分には同じ符号を付している。
【００２５】
図２に示す支持金具２１は、空気流の方向（本体１０の奥行き方向）に長い長穴３２を有し、本体１０の両側面の下側の各角部に本体１０の下面よりも下方に位置した状態でそれぞれ対向して固定された第１支持部材３０と、本体１０の奥行き方向と直交する方向（幅方向）に、対向する第１支持部材３０の間隔よりも長い長穴７１を有し、上端部が、対向する第１支持部材３０に長穴３２に可動自在に固定された第２支持部材７０と、既存の４本の吊りボルトが挿入される長穴５１を有し、第２支持部材７０に長穴７１に可動自在に固定された第３支持部材５０とを備えている。
【００２６】
第１支持部材３０は、前述したように、本体１０の前記角部にボルト３３とナットによって固定される固定部３１を有している。
【００２７】
第２支持部材７０の上端部には、本体１０の幅方向に長い長方形形状に形成され、両端部から直角に同一方向に延びる取付部６１を有する可動部６０が接続されている。また、第２支持部材７０は、本体１０の幅よりも長い長方形形状に形成され、長穴７１は、本体１０の幅よりも長く形成されている。この第２支持部材７０は、可動部６０の両端部に設けられた取付部６１からボルト４３を通して第１支持部材３０の長穴３２に挿入してナット４４で締め付けることにより、第１支持部材３０に固定される。また、第２支持部材７０は、取付部６１と第１支持部材３０の長穴３２を貫通したボルト４３を緩めることで、第１支持部材３０の長穴３２に沿って可動自在となる。
【００２８】
第３支持部材５０は、前述したように、断面がＬ字形状に形成され、一方の面には、幅方向に長い長穴５１が設けられている。この第３支持部材５０は、他方の面からボルト５２を第２支持部材７０の長穴７１に挿入してナットで締め付けることにより、第２支持部材７０に固定される。また、第３支持部材５０は、ボルト５２を緩めることで、第２支持部材７０の長穴７１に沿って可動自在となる。第３支持部材５０の長穴５１には、既存の４本の吊りボルトが挿入される。
【００２９】
次に、本体１０に設けられた２組の支持金具２１の第３支持部材５０に既存の吊りボルト（４本）を取り付ける手順を説明する。なお、換気装置１の本体１０の奥行き方向の前後には、２組の支持金具２１が取り付けられているものとして説明する。また、以下に示す取付手順は、一例であって限定されるものではない。
【００３０】
例えば、上階の床スラブから吊り下げられた４本の吊りボルトのうち、１本の吊りボルトのみが１つの第３支持部材５０の長穴５１に挿入可能な場合、その第３支持部材５０の長穴５１に１本の吊りボルトを挿入して、吊りボルトのナットで仮止めする。次いで、仮止した第３支持部材５０に隣接する第３支持部材５０のボルト５２を緩めて、吊りボルトの真下に長穴５１が位置するように、第３支持部材５０を第２支持部材７０の長穴７１に沿って可動する。そして、その第３支持部材５０の長穴５１に吊りボルトを挿入して、吊りボルトのナットで仮止めし、さらに、第３支持部材５０を第２支持部材７０にボルト５２とナットとで固定する。
【００３１】
その後、もう一方の第２支持部材７０の可動部６０のボルト４３を緩めて、第２支持部材７０を本体１０の奥行き方向に可動自在にし、その第２支持部材７０に固定された２つの第３支持部材５０のボルト５２を緩めて、本体１０の幅方向に可動自在にする。そして、各吊りボルトの真下に２つの第３支持部材５０の長穴５１が位置するように、第２支持部材７０を第１支持部材３０に沿って可動すると共に、２つの第３支持部材５０を第２支持部材７０に沿って可動する。
【００３２】
次いで、２つの第３支持部材５０の長穴５１にそれぞれ吊りボルトを挿入して、吊りボルトのナットで仮止めし、さらに、２つの第３支持部材５０を第２支持部材７０にボルト５２とナットとで固定する。その後、第２支持部材７０の可動部６０を第１支持部材３０にボルト４３で締めて固定する。そして、各吊りボルトに設けられた複数のナットで、本体１０の高さを微調整しながら、４つの第３支持部材５０を上下から締め付けて固定する。
【００３３】
次に、図２に示す第３支持部材５０を不要とした支持金具について、図３を用いて説明する。
図３は図２の換気装置に設けられた支持金具の変形例を示す斜視図である。なお、図２と同様の部分には同じ符号を付している。
【００３４】
図３に示す支持金具２２は、空気流の方向（本体１０の奥行き方向）に長い長穴を有し、本体の両側面の下側の各角部に本体１０の下面よりも下方に位置した状態でそれぞれ対向して固定された第１支持部材３０と、本体１０の奥行き方向と直交する方向（幅方向）に、対向する第１支持部材３０の間隔よりも長い、上下方向に向けられた長穴７１を有し、一端部が、対向する第１支持部材３０に長穴３２に可動自在に固定され、その長穴３２に既存の４本の吊りボルトが挿入される第２支持部材７０とを備えている。
【００３５】
第１支持部材３０は、前述したように、本体１０の前記角部にボルト３３とナットによって固定される固定部３１を有している。
【００３６】
第２支持部材７０は、本体１０の幅よりも長い長方形形状に形成され、第２支持部材７０の長穴７１は、本体１０の幅よりも長く形成され、既存の吊りボルトが挿入されて固定される。この第２支持部材７０は、地震によって上下動しても変形のない強度を有する板厚で形成されている。これにより、第３支持部材を用いることなく、本体１０を吊り下げることができる。
【００３７】
第２支持部材７０の一端部には、本体１０の幅方向に長い長方形形状に形成され、両端部から直角に同一方向に延びる取付部６１を有する可動部６０が接続されている。この第２支持部材７０は、可動部６０の両端部に設けられた取付部６１からボルト４３を通して第１支持部材３０の長穴３２に挿入してナット４４で締め付けることにより、第１支持部材３０に固定される。また、第２支持部材７０は、取付部６１と第１支持部材３０の長穴３２を貫通したボルト４３を緩めることで、第１支持部材３０の長穴３２に沿って可動自在となる。
【００３８】
次に、本体１０に設けられた２組の支持金具２２の第２支持部材７０に既存の吊りボルト（４本）を取り付ける手順を説明する。なお、換気装置１の本体１０の奥行き方向の前後には、２組の支持金具２２が取り付けられているものとして説明する。また、以下に示す取付手順は、一例であって限定されるものではない。
【００３９】
例えば、上階の床スラブから吊り下げられた４本の吊りボルトのうち、２本の吊りボルトが一方の第２支持部材７０の長穴７１に挿入可能な場合、その第２支持部材７０の長穴７１に２本の吊りボルトを挿入して、吊りボルトのナットで仮止めする。
【００４０】
その後、他方の第２支持部材７０の可動部６０のボルト４３を緩めて、第２支持部材７０を本体１０の奥行き方向に可動自在にする。そして、残り２本の吊りボルトの真下に第２支持部材７０の長穴７１が位置するように、第２支持部材７０を第１支持部材３０に沿って可動する。
【００４１】
次いで、第２支持部材７０の長穴７１に２本の吊りボルトを挿入して、吊りボルトのナットで仮止めする。その後、第２支持部材７０の可動部６０を第１支持部材３０にボルト４３とナット４４とで締めて固定する。そして、各吊りボルトに設けられた複数のナットで、本体１０の高さを微調整しながら、それぞれの第２支持部材７０を上下から締め付けて固定する。
【００４２】
以上のように実施の形態によれば、本体１０の上面１８のサイズよりも既存の４本の吊りボルトのピッチが内側に位置している場合には、本体１０に支持金具２０を使用し、本体１０の上面１８のサイズよりも既存の４本の吊りボルトのピッチが広い場合には、支持金具２１を使用する。また、本体１０の上面１８のサイズよりも既存の４本の吊りボルトのピッチが広く、上階のスラブと天井板との間の高さが低いときには、支持金具２２を使用できる。これにより、特にリニューアルによる換気装置の入れ替えの際には、既存の吊ボルトを流用でき、吊りボルトの取り替えが必要な換気装置と比べ、工期や施工コストの圧縮を図ることができ、既存の吊りボルト等の廃棄物を軽減できる。
【符号の説明】
【００４３】
１  換気装置、１０  本体、１１  一方の面、１２  室外給気口、１３  室外排気口、１４  他方の面、１５、１６  側面、１７  コントロールボックス、１８  上面、２０、２１、２２  支持金具、３０  第１支持部材、３１  固定部、３２  長穴、３３  ボルト、４０  第２支持部材、４１  取付部、４２  長穴、４３  ボルト、４４  ナット、５０  第３支持部材、５１  長穴、５２  ボルト、６０  可動部、６１  取付部、７０  第２支持部材、７１  長穴。
【図１】
2016017691.tif 000003
【図２】
2016017691.tif 000004
【図３】
2016017691.tif 000005